(57)【要約】【課題】分割式の文鎮を簡便かつ確実に連結すること。【解決手段】一方の分割片１ａの端部に凹溝２を形成するとともに、他方の分割片１ｂの端部に突条３を形成し、凹溝２に突条３を抜き差しし得るようにすることで、両分割片１ａ、１ｂの連結を簡便かつ確実に行い得るようにした。この一方の分割片１ａの側面に凹部７を形成するとともに、この凹部７内に、対向する一対の案内溝８、８を形成し、この案内溝８にスライド片９をスライド自在に設ける。両分割片１ａ、１ｂを連結し、スライド片９を他方の分割片１ｂ側にスライドすると、このスライド片９が他方の分割片１ｂの突条３の端部に当接してロック状態となる。このようにロック状態とすることで、連結状態を一層確実なものとすることができる。【選択図】図５
2013166319.tif 000002
【特許請求の範囲】
【請求項１】
長さ方向に複数に分割した一方の分割片（１ａ）の端部に、あり溝状の凹溝（２）を形成するとともに、この一方の分割片（１ａ）と連結する他方の分割片（１ｂ）の端部に、前記凹溝（２）に嵌って抜き挿しされる突条（３）を形成し、この凹溝（２）と突条（３）を嵌合させて、その長さ方向に連結し得るようにした文鎮。
【請求項２】
前記凹溝（２）の一端側に壁部（６）を形成し、一方の分割片（１ａ）を他方の分割片（１ｂ）に所定深さまで嵌合させた際に、前記突条（３）の先端が前記壁部（６）に当接するようにした請求項１に記載の文鎮。
【請求項３】
前記凹溝（２）及び突条（３）を複数本並列して形成した請求項１又は２に記載の文鎮。
【請求項４】
前記一方の分割片（１ａ）の側面に凹部（７）を形成するとともに、その凹部（７）内に、互いに対向する案内溝（８）を形成し、この案内溝（８）にスライド片（９）をスライド自在に設け、両分割片（１ａ、１ｂ）を連結して、前記スライド片（９）を前記一方の分割片（１ａ）の側面からその長さ方向に突出させて、このスライド片（９）と、前記他方の分割片（１ｂ）に形成した突条（３）とを当接させて、この連結をロックした状態とする一方で、このスライド片（９）を前記一方の分割片（１ａ）側に退去させることによって、ロック状態を解除するようにした請求項１から３のいずれか一つに記載の文鎮。
【請求項５】
連結する両分割片（１ａ、１ｂ）の側面に跨がる凹部（７）を形成するとともに、その凹部（７）内に、互いに対向する案内溝（８）を形成し、この案内溝（８）にスライド片（９）をスライド自在に設け、両分割片（１ａ、１ｂ）を連結して、前記スライド片（９）を両分割片（１ａ、１ｂ）の前記凹部（７）に跨るようにスライドさせて、この連結をロックした状態とする一方で、このスライド片（９）を前記一方の分割片（１ａ）側に退去させることによって、ロック状態を解除するようにした請求項１から３のいずれか一つに記載の文鎮。
【請求項６】
前記スライド片（９）に第一突起（１０）を形成するとともに、前記一方の分割片（１ａ）の案内溝（８）内に第二突起（１３）を形成し、前記第一突起（１０）と第二突起（１３）との当接により、前記ロック状態において前記スライド片（９）がロック解除方向にスライドするのを防止するとともに、ロック解除状態において一方の分割片（１ａ）側に退去させた前記スライド片（９）がロック方向にスライドするのを防止するようにした請求項４又は５に記載の文鎮。
【発明の詳細な説明】
【技術分野】
【０００１】
この発明は、書道の半紙等を押さえてずれを防止する文鎮であって、その長さ方向に複数に分割し得るようにしたものに関する。
【背景技術】
【０００２】
書道等の際に用いる文鎮として、書道用の半紙の短辺と同程度の長さの角棒を用いるのが一般的である。この文鎮で半紙の上端を押さえるとともに、手で下端側を押さえることによって、筆を走らせる際に半紙がずれて動かないようにしている。
【０００３】
このように一般的な文鎮を用いる場合、片方の手で常に半紙を押さえる必要があり、不便であることが多い。そこで、例えば特許文献１に示す構成においては、文鎮を複数本に分割自在とし、半紙の複数箇所（例えば、上端と下端）を押さえる場合は分割した状態で使用し、長尺の状態のまま使用したい場合は分割片同士を連結させる等、適宜使い分けを行い得るようにしている。
【０００４】
この分割片同士の連結機構の一例として、各分割片の端部の両側面に、断面半円状の溝を上下方向に形成するとともに、四角筒状のスリーブの内面に前記溝に対応する突条を形成し、このスリーブの両端側から各分割片を挿し込んで、前記溝と突条の係合によってその抜け止めを図るようにしたものがある（同文献の図１等を参照）。また、この連結機構の他例として、連結する分割片の一方に雌ねじを、他方に雄ねじを形成し、両者を互いにねじ込んで連結するようにしたものもある（同文献の図６を参照）。
【先行技術文献】
【特許文献】
【０００５】
【特許文献１】特開平１１−１２３８９６号公報
【発明の概要】
【発明が解決しようとする課題】
【０００６】
特許文献１において、連結にスリーブを用いる構成のものは、部品点数が多くなり、取り扱い性及び製造コストの面で問題がある。また、ねじ込み式の構成のものは、ねじの加工精度によっては、連結した分割片同士の間に、ねじの回転方向に亘る段差が生じることがあり、この段差で半紙等を傷付ける恐れがある。
【０００７】
そこで、この発明は、分割式の文鎮の各分割片を、簡便かつ確実に連結することを課題とする。
【課題を解決するための手段】
【０００８】
上記課題を解決するため、この発明は、長さ方向に複数に分割した一方の分割片の端部に、あり溝状の凹溝を形成するとともに、この一方の分割片と連結する他方の分割片の端部に、前記凹溝に嵌って抜き挿しされる突条を形成し、この凹溝と突条を嵌合させて、その長さ方向に連結し得るように文鎮を構成した。
【０００９】
このように凹溝と突条の嵌合によって分割片を連結するようにすると、特許文献１の構成で用いたスリーブが不要となる。このため取り扱い性及び製造コストの点でメリットがある。また、同文献に記載のねじ込み式と異なり、各分割片を回転させることなく連結するため、両者の間に段差が生じることはない。このため、使用の際に半紙等を傷付ける恐れは低い。
【００１０】
前記構成においては、前記凹溝の一端側に壁部を形成し、一方の分割片を他方の分割片に所定深さまで嵌合させた際に、前記突条の先端が前記壁部に当接する構成とすることができる。
【００１１】
前記突条が凹溝内を自由に抜き差しし得る場合、連結状態の文鎮の一方の分割片側を手で持ち上げたときに、他方の分割片がその自重で不用意に抜け落ちて、半紙等を傷付ける等のトラブルが生じる恐れがある。そこで、このように突条が壁部に当接するようにすれば、分割片が、少なくともその当接方向に抜け落ちるトラブルを防止することができる。
【００１２】
また、分割片同士を連結する際には、両分割片の連結部に段差が生じないように、それらの位置合わせを行う必要がある。このように、突条が壁部に当接するまで挿し込むことによって、両分割片の連結部に段差が生じないようにしておけば、その連結作業を一層速やかに行うことができる。
【００１３】
前記各構成においては、前記凹溝及び突条を複数本並列して形成することができる。
【００１４】
このように複数本並列することにより、分割片同士の連結状態が一層確実なものとなって、連結した分割片同士が不用意に外れるのを極力防止することができる。
【００１５】
前記各構成においては、前記一方の分割片の側面に凹部を形成するとともに、その凹部内に、互いに対向する案内溝を形成し、この案内溝にスライド片をスライド自在に設け、両分割片を連結して、前記スライド片を前記一方の分割片の側面からその長さ方向に突出させて、このスライド片と、前記他方の分割片に形成した突条とを当接させて、この連結をロックした状態とする一方で、このスライド片を前記一方の分割片側に退去させることによって、ロック状態を解除するようにすることができる。
【００１６】
このようにすれば、連結状態の文鎮の一方の分割片側を手で持ち上げた際に、他方の分割片が不用意に抜け落ちて、半紙等を傷付けるトラブルを確実に防止することができる。
【００１７】
上記のように、前記一方の分割片の側面に凹部を形成する代わりに、連結する両分割片の側面に跨がる凹部を形成するとともに、その凹部内に、互いに対向する案内溝を形成し、この案内溝にスライド片をスライド自在に設け、両分割片を連結して、前記スライド片を両分割片の前記凹部に跨るようにスライドさせて、この連結をロックした状態とする一方で、このスライド片を一方の分割片側に退去させることによって、ロック状態を解除するようにすることもできる。
【００１８】
このように、他方の分割片の側面にも凹部を形成することにより、スライド片と、前記凹部の底面又は側壁面とが当接して、両分割片の抜き挿しの向きにかかわらず確実なロック作用を発揮することができる。
【００１９】
このスライド片を用いる構成においては、前記スライド片に第一突起を形成するとともに、前記案内溝内に第二突起を形成し、前記第一突起と第二突起との当接により、前記ロック状態において前記スライド片がロック解除方向にスライドするのを防止するとともに、ロック解除状態において一方の分割片側に退去させた前記スライド片がロック方向にスライドするのを防止するようにするのがより好ましい。
【００２０】
このように両突起を当接させることで、スライド片が不用意にスライドするのを防止することができるため、ロック状態を確実に維持できるとともに、ロック解除状態において、分割片からスライド片が脱落するのを防止することができる。この両突起の形状や数は、ロック状態の維持及び脱落防止の作用を発揮する限りにおいて、適宜決定することができる。
【発明の効果】
【００２１】
この発明では、分割片の一方側に凹溝、他方側に突条を形成し、前記凹溝に突条を嵌め込むことによって分割片同士を連結して文鎮を構成した。このようにすることにより、スリーブ等の連結用の部材が不要となって、その連結を簡便かつ確実に行うことができる。
【図面の簡単な説明】
【００２２】
【図１】本願発明に係る文鎮の第一実施形態であって、連結した状態を示す斜視図
【図２】第一実施形態に係る文鎮の分割片同士を連結する様子を示す斜視図
【図３】第一実施形態に係る分割片の端部を示す斜視図
【図４】第一実施形態に係る文鎮のＩＶ−ＩＶ線に沿う断面図
【図５】第一実施形態に係る文鎮にロック機構を設けた状態を示し、（ａ）は分解斜視図、（ｂ）は部分断面図
【図６】第一実施形態に係る文鎮の連結ロック状態を示し、（ａ）は平面図、（ｂ）は側面図
【図７】第一実施形態に係る文鎮の連結ロック解除状態を示し、（ａ）は平面図、（ｂ）は側面図
【図８】スライド片の作用を示す側面図
【図９】第一実施形態に係る文鎮の使用態様を示す平面図
【図１０】本願発明に係る文鎮の第二実施形態であって、連結した状態を示す斜視図
【図１１】第二実施形態に係る文鎮の分割片同士を連結する様子を示す斜視図
【図１２】第二実施形態に係る文鎮の連結ロック状態を示し、（ａ）は平面図、（ｂ）は側面図
【図１３】第二実施形態に係る文鎮の連結ロック解除状態を示し、（ａ）は平面図、（ｂ）は側面図
【発明を実施するための形態】
【００２３】
この発明に係る文鎮の第一実施形態を図１から図９に示す。この文鎮は、一本の角棒状の文鎮を、その長さ方向のほぼ中央で二つに分割した分割式のものである（図１及び図２を参照）。分割した一方の分割片１ａの端部には、あり溝状の凹溝２が形成されるとともに、この分割片１ａと連結する他方の分割片１ｂの端部には、この凹溝２に嵌って抜き挿しされる突条３が形成されている（図３を参照）。この凹溝２と突条３を嵌合させて、その長さ方向の連結がなされる。
【００２４】
各分割片１ａ、１ｂは、角棒状の鉄製基材４上に、約３ｍｍ厚のＡＢＳ樹脂層５を形成することによって形成されている（図４を参照）。凹溝２及び突条３の部分はＡＢＳ樹脂層５のみで構成されている。このため、鉄製基材４自体を凹溝２及び突条３の形状に加工する必要はなく、ＡＢＳ樹脂材の射出成型などの成形法によって、この凹溝２及び突条３を簡便に形成することができる。両分割片１ａ、１ｂの嵌合強度をより高めるために、鉄製基材４自体を凹溝２及び突条３に加工することもできる。
【００２５】
この凹溝２の一端側（挿し込み方向の奥側）には壁部６が形成されていて、一方の分割片１ａを他方の分割片１ｂに所定深さまで挿し込んだ際に、この他方の分割片１ｂに形成した突条３の先端が壁部６に当接するようになっている。この当接により、嵌合した分割片１ａ、１ｂが、少なくともその当接方向に抜け落ちるトラブルを防止することができるとともに、両分割片１ａ、１ｂの連結する際の位置合わせを一層速やかに行うことができるため利便性が高い。なお、この壁部６を設けない構成としても、連結強度自体には影響しない。
【００２６】
この文鎮の連結状態を一層確実なものとするため、図５から図８に示すように、ロック機構を設けることもできる。このロック機構においては、一方の分割片１ａの側面に凹部７を形成するとともに、この凹部７内に、対向する一対の案内溝８、８を形成する。そして、この案内溝８にＡＢＳ樹脂材からなるスライド片９をスライド自在に設ける（図５を参照）。
【００２７】
このスライド片９の一方の端辺には、案内溝８側に突出する第一突起１０と、この第一突起１０に対してスライド方向の両側に、第一突起１０より高さが低い案内突起１１が形成されている。スライド片９の本体には、第一突起１０に近接して貫通孔１２が形成されている。このスライド片９の前記一方の端辺と反対側の他方の端辺には、スライド方向の全長に亘って案内突起１１が形成されている。第一突起１０のみで、スライド片９のスライド機能を確保できる場合は、この第一突起１０の両側の案内突起１１を設けない構成としたり、片方のみ設ける構成としたりすることもできる。
【００２８】
一方の分割片１ａの第一突起１０と対向する案内溝８には、一対の第二突起１３、１３が形成されている。この第二突起１３は、スライド片９がスライドした際に、第一突起１０と当接する一方で、案内突起１１、１１とは接触しない程度の高さとなっている。
【００２９】
両分割片１ａ、１ｂを連結し、スライド片９を他方の分割片１ｂ側にスライドした状態で分割片同士を抜き差ししようとしても、このスライド片９が他方の分割片１ｂの突条３の端部に当接して、その抜き挿しが自在にできない状態（ロック状態）となる（図６を参照）。このとき、スライド片９の第一突起１０が、一対の第二突起１３の間にちょうど嵌まり込んだ状態となっている。このため、スライド片９が不用意にスライドして、このロック状態が解除される恐れは低い。
【００３０】
このロック状態から、スライド片９を一方の分割片１ａ側にスライドすると、ロック状態が解除されて（図７を参照）、分割片同士を自在に抜き差しすることができる。
【００３１】
このロック及びロック解除の過程においては、第一突起１０が第二突起１３を一旦乗り越える必要がある。この乗り越えに際し、図８に示すように、第一突起１０と第二突起１３の当接力によって、この第一突起１０が、スライド片９に形成した貫通孔１２側に一旦退去する。このため、この乗り越えが容易となって、ロック及びロック解除をスムーズに行うことができる。
【００３２】
この文鎮は、連結状態として通常の文鎮と同様に使用できる一方で、図９に示すように、書道用の半紙Ｐ等の上下端側に各分割片１ａ、１ｂを置くことにより、この半紙Ｐの下端側を手で押さえることなくスムーズに筆を走らせることができる。
【００３３】
この第一実施形態においては、分割片１ａ、１ｂに水平方向に延びる凹溝２及び突条３を形成する構成としたが、垂直方向に延びる凹溝２及び突条３を形成し、両分割片１ａ、１ｂの抜き挿し方向に垂直な面にスライド片９を設ける構成とすることもできる。
【００３４】
この発明に係る文鎮の第二の実施形態を図１０から図１３に示す。この文鎮は、第一実施形態と同様に、一本の角棒状の文鎮を、その長さ方向のほぼ中央で二つに分割した分割式のものである（図１０及び図１１を参照）。分割した一方の分割片１ａの端部には、あり溝状の凹部２が形成されるとともに、この一方の分割片１ａと連結する他方の分割片１ｂの端部には、この凹溝２に嵌ってスライドする突条３が形成されている。
【００３５】
この第二実施形態においては、凹溝２及び突条３が複数本並列して形成されている。このように複数本並列して、両者の間の嵌合力を高めることによって、連結した分割片が不用意にスライドして分離してしまうトラブルを極力防止することができる。
【００３６】
この第二実施形態においては、図１２及び図１３に示すように、ロック機構を設けることもできる。このロック機構においては、連結する両分割片１ａ、１ｂの側面に跨る凹部７を形成するとともに、この凹部７内に、対向する一対の案内溝８、８を形成する。そして、この案内溝８にＡＢＳ樹脂材からなるスライド片９をスライド自在に設ける。第一実施形態と同様に、このスライド片９には第一突起１０及び案内突起１１が形成されるとともに、案内溝８には第二突起１３が形成されている。各突起１０、１１、１３の作用は第一実施形態において説明したので、その説明は省略する。
【００３７】
両分割片１ａ、１ｂを連結し、スライド片９を他方の分割片１ｂ側にスライドした状態で分割片同士を抜き差ししようとすると、このスライド片９が他方の分割片１ｂの凹部７の側壁に当接して、ロック状態となる（図１２を参照）。このロック状態から、スライド片９を一方の分割片１ａ側にスライドすると、ロック状態が解除されて（図１３を参照）、分割片同士を自在に抜き差しすることができる。
【００３８】
この第二実施形態においては、抜き差し方向に垂直な側面にスライド片９を設ける構成としたが、抜き差し方向に平行な側面にスライド片９を設ける構成とすることもできる。この場合、スライド片９と他方の分割片１ｂに形成した凹部７の底面とが当接することによってロック作用が発揮される。
【００３９】
上記の各実施形態においては、二つの分割片１ａ、１ｂを連結して一本の角棒状の文鎮を構成する態様について示したが、文鎮の分割数はもちろんこれに限定されず、さらに多分割の構成とすることもできる。
【００４０】
また、各分割片１ａ、１ｂ、スライド片９の素材は、ロック機構の機能が発揮される限りにおいて、適宜変更することができる。また、第一及び第二実施形態における凹溝２及び突条３、スライド片９の形状は例示であって、両分割片１ａ、１ｂの連結作用、ロック機構の機能が発揮される限りにおいて、適宜他の形状を採用することもできる。
【符号の説明】
【００４１】
１ａ  （一方の）分割片
１ｂ  （他方の）分割片
２  凹溝
３  突条
４  鉄製基材
５  ＡＢＳ樹脂層
６  壁部
７  凹部
８  案内溝
９  スライド片
１０  第一突起
１１  案内突起
１２  貫通孔
１３  第二突起
【図１】
2013166319.tif 000003
【図２】
2013166319.tif 000004
【図３】
2013166319.tif 000005
【図４】
2013166319.tif 000006
【図５】
2013166319.tif 000007
【図６】
2013166319.tif 000008
【図７】
2013166319.tif 000009
【図８】
2013166319.tif 000010
【図９】
2013166319.tif 000011
【図１０】
2013166319.tif 000012
【図１１】
2013166319.tif 000013
【図１２】
2013166319.tif 000014
【図１３】
2013166319.tif 000015